(57)【特許請求の範囲】
【請求項１】
出入口（Ｅ）に設けられた引戸（１）を手動にて開放状態とした際、上記引戸（１）から手を離した後、上記開放状態から自動的に閉作動する引戸開閉装置に於て、
上記引戸（１）の開閉方向に沿って上記出入口（Ｅ）の固定枠に固着された複数のラチェット段部（５３）から成るラチェット部材（５１）と、上記引戸（１）を開方向に移動させる向きに力を付与することで上記引戸（１）から突出し上記ラチェット部材（５１）に弾発付勢力をもって先端（５２Ａ）を押し付ける係止片（５２）とを、備え、かつ、上記引戸（１）を開方向に移動させる力を取り除いた時点から上記係止片（５２）を引込む方向に低速にて反発作動するガススプリング部材（３）を有し、
上記引戸（１）を開方向に移動させる際、上記係止片（５２）が上記先端（５２Ａ）を弾発的に上下動させつつ上記ラチェット部材（５１）に摺接して乗り越えて、上記引戸（１）を開方向の中間位置まで移動させて半開放状態とし、上記引戸（１）を開方向に移動させる力を取り除いてから短秒間（Ｔ）にわたって、上記係止片（５２）が上記ラチェット部材（５１）に係止して上記引戸（１）の閉方向への移動を阻止し、上記引戸（１）を上記半開放状態に保持し、かつ、該短秒間（Ｔ）が経過した後に、上記ガススプリング部材（３）によって、上記係止片（５２）が引き込まれて上記ラチェット部材（５１）との係止が解除され、上記引戸（１）が上記半開放状態から自動的に閉作動するように構成されたことを特徴とする引戸開閉装置。
【請求項２】
出入口（Ｅ）に設けられた引戸（１）を手動にて開放状態とした際、上記引戸（１）から手を離した後、上記開放状態から自動的に閉作動する引戸開閉装置に於て、
上記引戸（１）の開閉方向に沿って上記出入口（Ｅ）の固定枠に固着された複数のラチェット段部（５３）から成るラチェット部材（５１）と、上記引戸（１）を開方向に移動させる向きに力を付与することで上記引戸（１）から突出し上記ラチェット部材（５１）に弾発付勢力をもって先端（５２Ａ）を押し付ける係止片（５２）とを、備え、かつ、上記引戸（１）を開方向に移動させる力を取り除いた時点から上記係止片（５２）をゆっくりと引込む低反発性の樹脂材料から成る弾性体（４）を有し、
上記引戸（１）を開方向に移動させる際、上記係止片（５２）が上記先端（５２Ａ）を弾発的に上下動させつつ上記ラチェット部材（５１）に摺接して乗り越えて、上記引戸（１）を開方向の中間位置まで移動させて半開放状態とし、上記引戸（１）を開方向に移動させる力を取り除いてから短秒間（Ｔ）にわたって、上記係止片（５２）と上記ラチェット部材（５１）の係止状態を保ち、上記引戸（１）を上記半開放状態に保持し、かつ、該短秒間（Ｔ）が経過した後に、上記弾性体（４）の復元力によって、上記係止片（５２）が引き込まれて上記ラチェット部材（５１）との係止状態が解除され、上記引戸（１）が上記半開放状態から自動的に閉作動するように構成されたことを特徴とする引戸開閉装置。
【発明の詳細な説明】
【技術分野】
【０００１】
本発明は、引戸開閉装置に関する。
【背景技術】
【０００２】
従来、身体弱者または身体障害者に配慮して設計されたバリアフリートイレや介護施設等の出入口には、スライド式の引戸を手動にて開放可能とし、かつ、手を離すと開放状態から自動的に閉作動する引戸開閉装置が設けられている（特許文献１参照）。
特許文献１記載の引戸開閉装置は、閉方向に向けて下り勾配を付けたガイドレールに引戸を吊り下げており、開放状態の引戸から手を離すと同時に、自動的に閉作動を開始するように構成されていた。
【先行技術文献】
【特許文献】
【０００３】
【特許文献１】特開２００１−８２０２３号公報
【発明の概要】
【発明が解決しようとする課題】
【０００４】
しかし、バリアフリートイレ等を使用するのは、老人や要介護者、乳児を連れた保護者、妊婦、幼児、または、車椅子や歩行器を必要とする人等、ハンディキャップを持った使用者が多く、従来の引戸開閉装置では、引戸から手を離したと同時に自動的に閉作動が始まるため、使用者が出入口を通過するのが難しい場合もあった。特に、足の不自由な使用者や車椅子に乗った使用者は、引戸から手を離してから引戸が閉まってしまうまでの間に、素早く出入口を通過することが難しく、引戸を手で押えながら室内に移動しなければならないのが非常に不便であり、使用者や車椅子に引戸が当たってしまう虞れもあった。
【０００５】
そこで、本発明は、ハンディキャップを持った使用者に安心して出入口を通過させるため、引戸を開放状態に短い秒間だけ保持する引戸開閉装置を提供することを目的とする。
【課題を解決するための手段】
【０００６】
本発明に係る引戸開閉装置は、出入口に設けられた引戸を手動にて開放状態とした際、上記引戸から手を離した後、上記開放状態から自動的に閉作動する引戸開閉装置に於て、上記引戸の開閉方向に沿って上記出入口の固定枠に固着された複数のラチェット段部から成るラチェット部材と、上記引戸を開方向に移動させる向きに力を付与することで上記引戸から突出し上記ラチェット部材に弾発付勢力をもって先端を押し付ける係止片とを、備え、かつ、上記引戸を開方向に移動させる力を取り除いた時点から上記係止片を引込む方向に低速にて反発作動するガススプリング部材を有し、上記引戸を開方向に移動させる際、上記係止片が上記先端を弾発的に上下動させつつ上記ラチェット部材に摺接して乗り越えて、上記引戸を開方向の中間位置まで移動させて半開放状態とし、上記引戸を開方向に移動させる力を取り除いてから短秒間にわたって、上記係止片が上記ラチェット部材に係止して上記引戸の閉方向への移動を阻止し、上記引戸を上記半開放状態に保持し、かつ、該短秒間が経過した後に、上記ガススプリング部材によって、上記係止片が引き込まれて上記ラチェット部材との係止が解除され、上記引戸が上記半開放状態から自動的に閉作動するように構成されたものである。
【０００７】
また、出入口に設けられた引戸を手動にて開放状態とした際、上記引戸から手を離した後、上記開放状態から自動的に閉作動する引戸開閉装置に於て、上記引戸の開閉方向に沿って上記出入口の固定枠に固着された複数のラチェット段部から成るラチェット部材と、上記引戸を開方向に移動させる向きに力を付与することで上記引戸から突出し上記ラチェット部材に弾発付勢力をもって先端を押し付ける係止片とを、備え、かつ、上記引戸を開方向に移動させる力を取り除いた時点から上記係止片をゆっくりと引込む低反発性の樹脂材料から成る弾性体を有し、上記引戸を開方向に移動させる際、上記係止片が上記先端を弾発的に上下動させつつ上記ラチェット部材に摺接して乗り越えて、上記引戸を開方向の中間位置まで移動させて半開放状態とし、上記引戸を開方向に移動させる力を取り除いてから短秒間にわたって、上記係止片と上記ラチェット部材の係止状態を保ち、上記引戸を上記半開放状態に保持し、かつ、該短秒間が経過した後に、上記弾性体の復元力によって、上記係止片が引き込まれて上記ラチェット部材との係止状態が解除され、上記引戸が上記半開放状態から自動的に閉作動するように構成されたことを特徴とするものである。
【発明の効果】
【０００８】
本発明の引戸開閉装置によれば、使用者が引戸から手を離して出入口を通り過ぎるまでの間、引戸を開放状態に保持でき、安全に室内に入ることができる。また、引戸から手を離して数秒が経過した後に、引戸の開放保持を解除して、自動的に閉作動を開始できるため、使用者が室内に入った後は、引戸に手を触れなくても確実に出入口を閉鎖できる。
【図面の簡単な説明】
【０００９】
【図１】引戸の閉鎖状態を示した要部断面正面図である。
【図２】引戸の開放状態を示した要部断面正面図である。
【図３】本発明の第１の参考例を示した要部拡大正面図である。
【図４】本発明の第１の参考例を示した要部拡大正面図である。
【図５】本発明の第１の参考例を示した要部拡大正面図である。
【図６】本発明の第２の参考例を示した要部拡大正面図である。
【図７】本発明の第３の参考例を示した要部拡大正面図である。
【図８】本発明の第３の参考例を示した要部拡大正面図である。
【図９】本発明の第４の参考例を示した要部拡大正面図である。
【図１０】本発明の第５の参考例を示した要部拡大正面図である。
【図１１】本発明の第５の参考例を示した要部拡大側面図である。
【図１２】引戸の開放状態を示した要部断面正面図である。
【図１３】本発明の第６の参考例を示した要部拡大正面図である。
【図１４】本発明の第７の参考例を示した要部拡大正面図である。
【図１５】本発明の第７の参考例を示した要部拡大正面図である。
【図１６】ガイドレール吊下構造の一例を示した断面側面図である。
【図１７】ガイドローラ支持構造の一例を示した断面側面図である。
【図１８】本発明の実施の一形態を示した要部断面正面図である。
【図１９】本発明の実施の一形態を示した要部断面正面図である。
【図２０】本発明の他の実施形態を示した要部断面正面図である。
【発明を実施するための形態】
【００１０】
以下、実施の形態を示す図面に基づき本発明を詳説する。
本発明の引戸開閉装置は、バリアフリートイレや病院、介護施設、学校等の室内への出入口Ｅに設けられた引戸１を手動にて開放状態とし、かつ、手を離すと開放状態から自動的に閉作動するように構成されている。
本発明の引戸開閉装置は、引戸１を手動にて開放状態とした際、引戸１から手を離しても短秒間Ｔだけ引戸１を開放状態に保持する機械的開放保持手段２を具備している。
機械的開放保持手段２は、手動にて開放状態とした引戸１から手を離した後、５秒間〜１５秒間の短秒間Ｔだけ開放状態を保持するように構成している。
なお、本発明に於て、開放状態とは、引戸１を開方向に一杯まで移動させて出入口Ｅがほぼ全開放された全開放状態、乃至、車椅子に乗った使用者が通過できる程度に引戸１を開方向の中間位置に移動させて出入口Ｅが途中まで開放された半開放状態を包含している。
引戸１は、上枠に固着されたガイドレール８に吊り下げられ（図１６参照）、かつ、床面に設けられたガイドローラ９によって下端が揺動しないように開閉方向にスライド自在に案内されている（図１７参照）。ガイドレール８は、引戸１が出入口Ｅを閉鎖する方向に移動力Ｆを付与している。具体的には、閉方向に緩やかな下り勾配をつけて取り付ける、または、引戸１にワイヤーを介して取付けたウェイトにより閉方向に引っ張る等の従来から用いられてきた構造で良い。引戸１には、使用者が手で持って開閉操作するためのハンドル７，７が取付けられており、このハンドル７，７は、立ったままの健常者、または、車椅子に乗った使用者や子供等の双方が、容易に操作できるように、高い位置と低い位置に複数個設けられているのが好ましい。
【００１１】
図１〜図５は本発明の引戸開閉装置の第１の参考例を示している。
第１の参考例の機械的開放保持手段２は、固定側の縦枠に揺動自在に枢着された第１揺動部材１０を備え、第１揺動部材１０の一端に、引戸１の側端面に当接する当接部材１１を有し、かつ、第１揺動部材１０の他端に、引戸１側に設けられた磁性体１４に吸着可能なマグネット部材１２を有している。
当接部材１１は、第１揺動部材１０の一端に揺動可能に取付けられ、引戸１の側端面に当接する当接面部１１Ａは、衝撃を緩和するクッション性を有する弾性体で構成されている。マグネット部材１２は、永久磁石を有し、第１揺動部材１０の他端に揺動可能に取付けられている。なお、磁性体１４は、マグネット部材１２に吸着する永久磁石から成るか、または、金属製板材を用いるのが望ましい。
【００１２】
機械的開放保持手段２は、低速にて反発作動するガススプリング部材３を有している。
ガススプリング部材３は、内部で往復運動するピストン３１を有するシリンダ本体３０を備え、シリンダ本体３０内部のピストン３１により区画された第１圧力室３０Ａと第２圧力室３０Ｂに連通すると共に逆止弁３２を有するバイパス部３３を備えている。ピストン３１は、第１圧力室３０Ａと第２圧力室３０Ｂを連通連結する貫通小孔状のオリフィス３５を有し、シリンダ本体３０から伸縮自在のロッド３４を一体に連結している。ガススプリング部材３は、ロッド３４の先端を、第１揺動部材１０の一端寄りの当接部材１１近傍位置に連結しており、シリンダ本体３０を縦枠に揺動自在に枢着している。ガススプリング部材３には、ロッド３４を伸長させる方向にピストン３１を常時弾発付勢するリターンスプリングを付設しても良い。なお、ガススプリング部材３は、バイパス部３３をシリンダ本体３０内部に内蔵するも好ましい。
【００１３】
上述した本発明の引戸開閉装置の使用方法（作用）について説明する。
図３に示すように、引戸１を（手動により）開方向に一杯まで移動させ、出入口Ｅがほぼ全開放された状態（全開放状態）にする。引戸１は、当接部材１１に当り、ガススプリング部材３の弾発付勢により当接部材１１を当り待ち状態として待機している第１揺動部材１０を揺動させる。この際、第１揺動部材１０に連結したロッド３４が縮方向に押し込まれ、ピストン３１が第１圧力室３０Ａ側へ移動する。ガススプリング部材３は、バイパス部３３の逆止弁３２を開いて、圧力を第１圧力室３０Ａから第２圧力室３０Ｂへと逃がし、ピストン３１を小さな力でスムーズに移動させる。
次に、図４に示すように、第１揺動部材１０は、当接部材１１が引戸１に押されて揺動し、マグネット部材１２は、引戸１の開方向への移動を制止すると共に、磁性体１４にピタリと吸着して、引戸１を（全）開放状態に保持する。ガススプリング部材３は、バイパス部３３の逆止弁３２を閉じ、第２圧力室３０Ｂから第１圧力室３０Ａへの圧力の漏出を止めると共に、ロッド３４を伸長させる方向に反発する。この際、ピストン３１は、オリフィス３５を通じて少しずつしか第２圧力室３０Ｂから第１圧力室３０Ａへ圧力を移すことができないため、第２圧力室３０Ｂ側へ非常にゆっくりと時間をかけて移動し、低速にてロッド３４を伸方向に押し返す。機械的開放保持手段２は、使用者が引戸１から手を離して外力が排除されてから、５秒間〜１５秒間の短秒間Ｔにわたって、マグネット部材１２と磁性体１４の吸着を保ち、引戸１を（全）開放状態に保持し続ける。
【００１４】
そして、５秒間〜１５秒間の短秒間Ｔが経過すると、図５に示すように、ガススプリング部材３の弾発付勢力によって、第１揺動部材１０が当接部材１１を押し出すように揺動し、マグネット部材１２が、その吸着力に反して磁性体１４から引き離される。このようにして、機械的開放保持手段２は、引戸１の開放状態を解除して自動的に閉作動させる。なお、その後、第１揺動部材１０は、当接部材１１を突出状として当り待ち状態にて待機する。
【００１５】
次に、本発明の引戸開閉装置の第２の参考例について説明する。
図６では、機械的開放保持手段２は、低反発性の樹脂材料から成る弾性体４を有している。その他の構成は、上述の第１の実施形態とほぼ同様であるため、説明を省略する。
弾性体４は、ポリウレタン樹脂を原料とした合成樹脂、または、ニトリルゴムを主成分とした低反発ゴム、あるいは、シリコン系ゲル等から成り、圧縮力を加えた後、外力を取り除くと、ゆっくりと時間をかけて元の形状に復元する性質を有している。
即ち、開方向に移動してきた引戸１が、当接部材１１に当り、第１揺動部材１０が弾性体４を圧縮しつつ揺動する。第１揺動部材１０は、当接部材１１が引戸１に押されて揺動すると、マグネット部材１２が、引戸１の開方向への移動を制止すると共に、磁性体１４にピタリと吸着して、引戸１を開放状態に保持する。その後、使用者が引戸１から手を離して外力を排除しても、弾性体４は、直ちに反発力を発現せず、ゆっくりと復元する。機械的開放保持手段２は、５秒間〜１５秒間にわたって、マグネット部材１２を磁性体１４に吸着させて、引戸１を開放状態に保持し続ける。そして、５秒間〜１５秒間が経過すると、弾性体４の復元力により、第１揺動部材１０が当接部材１１を押し出すように揺動し、マグネット部材１２が吸着力に反して磁性体１４から引き離される。このようにして、機械的開放保持手段２は、引戸１の開放状態を解除して自動的に閉作動させる。
【００１６】
図７と図８は、本発明の引戸開閉装置の第３の参考例を示している。
図７及び図８に示す機械的開放保持手段２は、縦枠に揺動自在に枢着された第２揺動部材２０を備え、第２揺動部材２０の一端を、引戸１の側端面に当接する当接突起部２１とし、かつ、第２揺動部材２０の他端を、引戸１側に設けられた係止孔２４に係着可能な係止片部２２としている。当接突起部２１の当接面部２１Ａは、衝撃を緩和するクッション性を有する弾性体で構成されている。
【００１７】
また、機械的開放保持手段２は、低速にて反発作動するガススプリング部材３を有している。
ガススプリング部材３は、内部で往復運動するピストン３１を有するシリンダ本体３０を備え、ピストン３１により区画されたシリンダ本体３０内部の第１圧力室３０Ａと第２圧力室３０Ｂに連通すると共に逆止弁３２を有するバイパス部３３を備えている。ピストン３１は、第１圧力室３０Ａと第２圧力室３０Ｂを連通連結する貫通小孔状のオリフィス３５を有し、シリンダ本体３０から伸縮自在のロッド３４を一体に連結している。ガススプリング部材３は、ロッド３４の先端を、第２揺動部材２０に連結しており、シリンダ本体３０を縦枠に揺動自在に枢着している。ガススプリング部材３には、ロッド３４を伸長させる方向にピストン３１を常時弾発付勢するリターンスプリングを付設しても良い。なお、ガススプリング部材３は、バイパス部３３をシリンダ本体３０内部に内蔵するも好ましい。
【００１８】
上述した第３の参考例の引戸開閉装置は、図７に示すように、手動により開方向に移動してきた引戸１が、当接突起部２１に当り、ガススプリング部材３の弾発付勢により当接突起部２１を当り待ち状態として待機している第２揺動部材２０を揺動させる。この際、第２揺動部材２０に連結したロッド３４が縮方向に押し込まれ、ピストン３１が第１圧力室３０Ａ側へ移動する。ガススプリング部材３は、バイパス部３３の逆止弁３２を開いて、圧力を第１圧力室３０Ａから第２圧力室３０Ｂへと逃がし、ピストン３１を小さな力でスムーズに移動させる。
次に、図８に示すように、第２揺動部材２０は、当接突起部２１が引戸１に押されて揺動し、係止片部２２が係止孔２４に係着して、引戸１を開放状態に保持する。ガススプリング部材３は、バイパス部３３の逆止弁３２を閉じ、第２圧力室３０Ｂから第１圧力室３０Ａへの圧力の漏出を止めると共に、ロッド３４を伸長させる方向に反発する。この際、ピストン３１は、オリフィス３５を通じて少しずつしか第２圧力室３０Ｂから第１圧力室３０Ａへ圧力を移すことができないため、第２圧力室３０Ｂ側へ非常にゆっくりと移動し、低速にてロッド３４を伸方向に押し返す。機械的開放保持手段２は、使用者が引戸１から手を離して外力が排除されてから、５秒間〜１５秒間の短秒間Ｔにわたって、係止片部２２を係止孔２４に係着し、引戸１を開放状態に保持し続ける。そして、図示省略するが、５秒間〜１５秒間が経過すると、ガススプリング部材３の弾発付勢力によって、第２揺動部材２０が当接突起部２１を押し出すように揺動し、係止片部２２が係止孔２４から引き抜かれる。このようにして、機械的開放保持手段２は、引戸１の開放状態を解除して自動的に閉作動させる。なお、係止片部２２は、係止孔２４に隙間ｇをもって遊嵌されており、第２揺動部材２０がロックされてしまうのを防止している。
【００１９】
次に、本発明の引戸開閉装置の第４の参考例について説明する。
図９では、機械的開放保持手段２は、低反発性の樹脂材料から成る弾性体４を有している。第２揺動部材２０には、弾性体４に圧縮力を伝達する圧縮片部２３を突設している。その他の構成は、上述の第３の実施形態とほぼ同様であるため、説明を省略する。
弾性体４は、ポリウレタン樹脂を原料とした合成樹脂、または、ニトリルゴムを主成分とした低反発ゴム、あるいは、シリコン系ゲル等から成り、圧縮力を加えた後、外力を取り除くと、ゆっくりと時間をかけて元の形状に復元する性質を有している。
即ち、図９に示すように、開方向に移動してきた引戸１が、当接突起部２１に当り、第２揺動部材２０が圧縮片部２３で弾性体４を圧縮しつつ揺動する。第２揺動部材２０の揺動によって、係止片部２２を係止孔２４に係着させ、引戸１を開放状態に保持する。弾性体４を圧縮した後、使用者が引戸１から手を離して外力を排除しても、弾性体４は、直ちに反発力を発現せず、ゆっくりと復元する。機械的開放保持手段２は、５秒間〜１５秒間にわたって、係止片部２２を係止孔２４に係着させて、引戸１を開放状態に保持し続ける。そして、５秒間〜１５秒間が経過すると、弾性体４の復元力により、第２揺動部材２０が当接突起部２１を押し出すように揺動し、係止片部２２が係止孔２４から引き抜かれる。このようにして、機械的開放保持手段２は、引戸１の開放状態を解除して自動的に閉作動させる。
【００２０】
図１０と図１１は、本発明の引戸開閉装置の第５の参考例を示している。
図１０では、縦枠に揺動自在に枢着された第３揺動部材２５を備え、第３揺動部材２５の一端を、手動にて開作動してきた引戸１の側端面に当接する当接突起部２６とし、かつ、第３揺動部材２５の他端を、引戸１側に設けられた係止孔２９に係着可能な係止片部２７としている。第３揺動部材２５には、図外にウェイトを吊り下げたワイヤー２８が連結されている。当接突起部２６の当接面部２６Ａは、衝撃を緩和するクッション性を有する弾性体で構成されている。
【００２１】
図１１では、機械的開放保持手段２は、ワンウェイクラッチ機構５と摩擦抵抗部材６とを有している。
ワンウェイクラッチ機構５は、第３揺動部材２５と一体に連結される内輪部材１５と、内輪部材１５にラチェットギアを介して取付けられる外輪部材１６とを、有している。ワンウェイクラッチ機構５は、内輪部材１５が外輪部材１６に対し、一方向Ａへの回転自在とし、他方向Ｂへの回転を規制するように構成されている。
摩擦抵抗部材６は、ワンウェイクラッチ機構５の外輪部材１６に摺接して摩擦抵抗を付与する摩擦盤部材１８と、摩擦盤部材１８と固定側の縦枠との間に介装されると共に摩擦盤部材１８を外輪部材１６に押し付ける方向に弾発付勢するスプリング部材１３とを、有している。
【００２２】
上述した第５の参考例の引戸開閉装置は、図１０に示すように、手動により開方向に移動してきた引戸１が、当接突起部２６に当り、ワイヤー２８の引張力により当接突起部２６を当り待ち状態として待機している第３揺動部材２５を揺動させる。この際、ワンウェイクラッチ機構５は、第３揺動部材２５に連結した内輪部材１５を一方向Ａに小さな力でスムーズに回転させる。第３揺動部材２５は、当接突起部２６が引戸１に押されて揺動し、係止片部２７が係止孔２９に係着して、引戸１を開放状態に保持する。ワンウェイクラッチ機構５は、内輪部材１５の外輪部材１６に対する他方向Ｂへの回転を規制して、係止片部２７と係止孔２９の係着状態を保つ。第３揺動部材２５は、ワイヤー２８の引張力により係止片部２７と係止孔２９の係着を解除する方向に付勢されており、ワンウェイクラッチ機構５の外輪部材１６と摩擦盤部材１８が摺接し、ゆっくりと時間をかけて第３揺動部材２５が揺動する。従って、機械的開放保持手段２は、使用者が引戸１から手を離して外力が排除されてから、５秒間〜１５秒間の短秒間Ｔにわたって、係止片部２７を係止孔２９に係着し、引戸１を開放状態に保持し続け、そして、５秒間〜１５秒間の短秒間Ｔが経過すると、ワイヤー２８の引張力によって、第３揺動部材２５が当接突起部２６を押し出すように揺動し、係止片部２７が係止孔２９から引き抜かれる。このようにして、機械的開放保持手段２は、引戸１の開放状態を解除して自動的に閉作動させる。
【００２３】
次に、本発明の引戸開閉装置の第６の参考例について説明する。
図１２と図１３に示す機械的開放保持手段２は、引戸１に揺動自在に枢着された第４揺動部材４０を備え、第４揺動部材４０に摺接して昇降可能な挿入ピン部材４３を引戸１に取り付けている。第４揺動部材４０は、固定側の縦枠に当接する当接部４１と、挿入ピン部材４３に摺接するカム面４２Ａを有する押上片部４２とを、有している。挿入ピン部材４３は、固定側のガイドレール８に設けられた係止孔４４に係着可能な挿入部４３Ａと、円環状の外鍔部４３Ｂとを、有している。
【００２４】
図１２と図１３では、機械的開放保持手段２は、低反発性の樹脂材料から成る弾性体４を有している。
弾性体４は、ポリウレタン樹脂を原料とした合成樹脂、または、ニトリルゴムを主成分とした低反発ゴム、あるいは、シリコン系ゲル等から成り、圧縮力を加えた後、外力を取り除くと、ゆっくりと時間をかけて元の形状に復元する性質を有している。弾性体４は、引戸１の上端縁部に沿って設けられた取付部１７と、挿入ピン部材４３の外鍔部４３Ｂとに、挟まれており、挿入ピン部材４３が上昇すると、圧縮力が加わるように配設されている。
即ち、図１３に示すように、引戸１を手動で開作動させて、当接部４１を縦枠に当て、第４揺動部材４０を揺動させると、押上片部４２がカム面４２Ａにて挿入ピン部材４３を押し上げる。押し上げられた挿入ピン部材４３は、弾性体４を圧縮しつつ、挿入部４３Ａを係止孔４４に係着させて、引戸１を開放状態に保持する。弾性体４を圧縮した後、使用者が引戸１から手を離して外力を排除しても、弾性体４は、直ちに反発力を発現せず、ゆっくりと復元する。機械的開放保持手段２は、５秒間〜１５秒間にわたって、挿入ピン部材４３を係止孔４４に係着させて、引戸１を開放状態に保持し続ける。そして、５秒間〜１５秒間が経過すると、弾性体４の復元力により、挿入ピン部材４３が下降し、挿入部４３Ａが係止孔４４から引き抜かれる。このようにして、機械的開放保持手段２は、引戸１の開放状態を解除して自動的に閉作動させる。
【００２５】
図１４と図１５は、本発明の引戸開閉装置の第７の参考例を示している。
図１４及び図１５では、機械的開放保持手段２は、引戸１に揺動自在に枢着された第５揺動部材４５を備えている。第５揺動部材４５は、固定側の縦枠に当接する当たり部４６と、縦枠に設けられた係止孔４９に係着可能な鉤型の引っ掛け部４７とを、有している。
【００２６】
図１４と図１５では、機械的開放保持手段２は、低反発性の樹脂材料から成る弾性体４を有している。
弾性体４は、ポリウレタン樹脂を原料とした合成樹脂、または、ニトリルゴムを主成分とした低反発ゴム、あるいは、シリコン系ゲル等から成り、圧縮力を加えた後、外力を取り除くと、ゆっくりと時間をかけて元の形状に復元する性質を有している。弾性体４は、引戸１の側端縁部に沿って設けられた取付部１９と、第５揺動部材４５とに、挟まれており、第５揺動部材４５が揺動すると、圧縮力がかかるように配設されている。
即ち、図１４に示すように、引戸１を手動で開作動させて、当たり部４６を縦枠に当て、第２揺動部材２０を揺動させる。この際、第５揺動部材４５は、弾性体４を圧縮しつつ揺動し、引っ掛け部４７を係止孔４９に挿入する。
図１５に示すように、第５揺動部材４５は、引っ掛け部４７を係止孔４９に係着して、引戸１を開放状態に保持する。使用者が引戸１から手を離して外力を排除しても、弾性体４は、直ちに反発力を発現せず、ゆっくりと復元する。機械的開放保持手段２は、５秒間〜１５秒間にわたって、引っ掛け部４７を係止孔４９に係着させて、引戸１を開放状態に保持し続ける。そして、５秒間〜１５秒間が経過すると、弾性体４の復元力により、第５揺動部材４５が揺動し、引っ掛け部４７が係止孔４９から引き抜かれる。このようにして、機械的開放保持手段２は、引戸１の開放状態を解除して自動的に閉作動させる。
なお、引っ掛け部４７は、係止孔４９に隙間ｇをもって遊嵌されており、第５揺動部材４５がロックされてしまうのを防止している。
【００２７】
図１８と図１９は本発明の引戸開閉装置の実施の一形態を示している。
図１８と図１９に於て、機械的開放保持手段２は、固定側のラチェット部材５１と、ラチェット部材５１に係脱自在の係止片５２とを、有し、引戸１を開方向の中間位置での（半）開放状態に短秒間Ｔだけ保持するように構成されている。
ラチェット部材５１は、引戸１の開方向に沿って固定枠に固着され、一端面に係止壁部５３Ａを有し、他端面に傾斜壁部５３Ｂを有する複数のラチェット段部５３を備えている。
係止片５２は、その先端５２Ａが引戸１の上端壁部１Ａから突出・引込自在として取付けられている。
引戸１を手動にて開方向の中間位置まで移動させて半開放状態、乃至、全開放状態とした際、引戸１から手を離しても係止片５２がラチェット部材５１（ラチェット段部５３）に係止して、引戸１を中間位置での半開放状態又は全開放状態に短秒間Ｔだけ保持するように構成されている。
【００２８】
係止片５２は、引戸１側に昇降自在に取付けられた可動筐体５４に保持されている。係止片５２は、可動筐体５４に内設される弾発部材５６によって、常時上方に弾発付勢されており、先端５２Ａが上方から外力により押し下げられた際は、弾発部材５６の弾発付勢力に抗して下方へ逃げることができるように構成されている。
可動筐体５４は、引戸１に固着された枠部材５９に上下スライド自在に保持され、下方から持上部材５８に押圧されて上昇する。持上部材５８は、プッシュプルワイヤ５５に連結されている。
引戸１には、使用者が手で持って開閉操作を行うための可動ハンドル５７が左右方向にスライド移動可能として設けられ、プッシュプルワイヤ５５は、可動ハンドル５７と持上部材５８を連結している。引戸１を開方向に移動させる向きに可動ハンドル５７を操作すると、（可動筐体５４が上昇して）係止片５２を引戸１の上方へ突出させ、ラチェット部材５１に係止片５２の先端５２Ａを押し付けるように構成されている。
【００２９】
図１８と図１９では、本発明の引戸開閉装置は、低反発性の樹脂材料から成る弾性体４を有している。
弾性体４は、可動筐体５４の上面と引戸１の上端壁部１Ａに接着されている。言い換えると、可動筐体５４を上方から吊持しているとも言える。なお、係止片５２は、弾性体４と引戸１の上端壁部１Ａを貫通している。弾性体４は、既に述べたものと同様のものを用い、可動筐体５４の上昇により圧縮されて弾性変形し（図１８参照）、圧縮力を取り除いた後、ゆっくりと時間をかけて元の形状に復元する性質を有している（図１９参照）。
【００３０】
上述した本発明の引戸開閉装置に於て、図１８に示すように、可動ハンドル５７を手動にて操作して、引戸１を開方向の中間位置に移動させて車椅子に乗った使用者が通過できる程度に出入口Ｅが途中まで開放された状態（半開放状態）、乃至、引戸１を開方向に一杯まで移動させて出入口Ｅが全開放された状態（全開放状態）にする。この際、可動ハンドル５７のスライド移動に伴って、可動筐体５４が上昇し、弾性体４を圧縮しつつ係止片５２が弾発付勢力をもってラチェット部材５１に押し付けられる。係止片５２は、ラチェット段部５３の傾斜壁部５３Ｂに摺接しつつ先端５２Ａを弾発的に上下動させながらラチェット段部５３を乗り越え、引戸１の開方向への移動を可能とする。
次に、図１９に示すように、可動ハンドル５７から手を離し、引戸１の移動を開方向の中間位置で停止する。この際、可動筐体５４は、持上部材５８による押圧力が排除され、弾性体４に吊り持ちされた状態となり、係止片５２は、ラチェット段部５３の係止壁部５３Ａに係止して、引戸１の閉方向への移動を阻止する。そして、使用者が引戸１の可動ハンドル５７から手を離して弾性体４の圧縮力が取り除かれてから、５秒間〜１５秒間の短秒間Ｔにわたって、係止片５２とラチェット部材５１の係止状態を保ち、引戸１を中間位置での半開放状態又は全開放状態に保持し続ける。
【００３１】
そして、５秒間〜１５秒間の短秒間Ｔが経過すると、弾性体４の復元力によって、可動筐体５４を下降させると共に、係止片５２を引戸１の上端壁部１Ａに引き込む。このようにして、機械的開放保持手段２は、引戸１を開放状態から自動的に閉作動する。
【００３２】
図２０は、本発明の引戸開閉装置の他の実施形態を示している。
図２０では、機械的開放保持手段２は、ラチェット部材５１と、ラチェット部材５１に係脱自在の係止片５２とを、有し、引戸１を開方向の中間位置での開放状態に短秒間Ｔだけ保持するように構成されている点で、上述の第８の実施形態と同じであるが、低速にて反発作動するガススプリング部材３を有している点で相違している。
ガススプリング部材３は、既に述べたものと同様のものを用いる。引戸１を開方向に移動させる向きに可動ハンドル５７を操作すると、（可動筐体５４が上昇して）係止片５２を引戸１の上方へ突出させ、ラチェット部材５１に係止片５２の先端５２Ａを押し付け、可動ハンドル５７から手を離した後、ゆっくりと時間をかけて可動ハンドル５７を押し返して、５秒間〜１５秒間の短秒間Ｔが経過した後、係止片５２を引き込むように構成されている。
なお、図２０では、係止片５２の先端５２Ａに転動自在のローラ６０を付設している。ローラ６０は、引戸１の開方向への移動によりラチェット段部５３を乗り越える際、傾斜壁部５３Ｂに転動して、スムーズな移動を可能とする。
【００３３】
なお、本発明は、上述の実施形態に限定されるものではなく、発明の要旨を変更しない範囲であれば、設計変更が可能である。
【００３４】
以上のように、本発明に係る引戸開閉装置は、出入口Ｅに設けられた引戸１を手動にて開放状態とし、かつ、手を離すと開放状態から自動的に閉作動する引戸開閉装置に於て、引戸１を手動にて開放状態とした際、引戸１から手を離しても短秒間Ｔだけ引戸１を開放状態に保持する機械的開放保持手段２を具備するので、使用者が引戸１から手を離して出入口Ｅを通り過ぎるまでの間、引戸１を開放状態に保持でき、安全に室内に入ることができる。また、引戸１から手を離して短秒間Ｔが経過した後に、引戸１の開放保持を解除して、自動的に閉作動を開始できるため、使用者が室内に入った後は、引戸１に手を触れなくても確実に出入口Ｅを閉鎖できる。
【００３５】
また、機械的開放保持手段２は、手動にて開放状態とした引戸１から手を離した後、５秒間〜１５秒間の短秒間Ｔだけ開放状態を保持するように構成しているので、足の不自由な使用者や車椅子に乗った使用者も、余裕を持って安心して室内に入ることができる。
【００３６】
また、機械的開放保持手段２は、低速にて反発作動するガススプリング部材３を有するので、使用者が引戸１から手を離したと同時に閉作動が始まらず、確実に開放状態を保持できる。また、電気的開放保持手段を用いた場合は、停電や電池切れで機能が停止してしまう虞れがあるが、機械的開放保持手段２は、その心配が無く安全・確実に開放状態を保持できる。
【００３７】
また、機械的開放保持手段２は、低反発性の樹脂材料から成る弾性体４を有するので、使用者が引戸１から手を離したと同時に閉作動が始まらず、確実に開放状態を保持できる。また、電気的開放保持手段を用いた場合は、停電や電池切れで機能が停止してしまう虞れがあるが、機械的開放保持手段２は、その心配が無く安全・確実に開放状態を保持できる。
【００３８】
また、機械的開放保持手段２は、ワンウェイクラッチ機構５と摩擦抵抗部材６とを有するので、使用者が引戸１から手を離したと同時に閉作動が始まらず、確実に開放状態を保持できる。また、電気的開放保持手段を用いた場合は、停電や電池切れで機能が停止してしまう虞れがあるが、機械的開放保持手段２は、その心配が無く安全・確実に開放状態を保持できる。
【００３９】
また、機械的開放保持手段２は、固定側のラチェット部材５１と、ラチェット部材５１に係脱自在の係止片５２とを、有し、引戸１を開方向の中間位置での開放状態に短秒間Ｔだけ保持するように構成されているので、車椅子や歩行器を必要とする人等、ハンディキャップを持った使用者にとって出入口Ｅを全開放するのが難しい場合であっても、車椅子に乗った使用者が通過できる程度に、引戸１を開方向に中間位置まで移動させて出入口Ｅが途中まで開放された状態（半開放状態）として引戸１から手を離しても、使用者が出入口Ｅを通り過ぎるまでの間、引戸１を開方向の中間位置で半開放状態に保持でき、安全に室内に入ることができる。
【符号の説明】
【００４０】
１  引戸
２  機械的開放保持手段
３  ガススプリング部材
４  弾性体
５  ワンウェイクラッチ機構
６  摩擦抵抗部材
５１  ラチェット部材
５２  係止片
５２Ａ  先端
Ｅ  出入口
Ｔ  短秒間
【図１】
0005627638.tif 000002
【図２】
0005627638.tif 000003
【図３】
0005627638.tif 000004
【図４】
0005627638.tif 000005
【図５】
0005627638.tif 000006
【図６】
0005627638.tif 000007
【図７】
0005627638.tif 000008
【図８】
0005627638.tif 000009
【図９】
0005627638.tif 000010
【図１０】
0005627638.tif 000011
【図１１】
0005627638.tif 000012
【図１２】
0005627638.tif 000013
【図１３】
0005627638.tif 000014
【図１４】
0005627638.tif 000015
【図１５】
0005627638.tif 000016
【図１６】
0005627638.tif 000017
【図１７】
0005627638.tif 000018
【図１８】
0005627638.tif 000019
【図１９】
0005627638.tif 000020
【図２０】
0005627638.tif 000021